【手続補正書】
【提出日】平成26年1月17日(2014.1.17)
【手続補正１】
【補正対象書類名】特許請求の範囲
【補正対象項目名】請求項２６
【補正方法】変更
【補正の内容】
【請求項２６】
コンピュータプログラムであって、
商品に関連するユーザ動作のインディケーションを受信するための機能と、
前記ユーザ動作に関連する前記商品の複数の関連商品を決定するための機能と、
前記複数の関連商品に対応する複数の包括的相関度を決定するための機能であって、前記複数の包括的相関度の各々は、前記商品と前記複数の関連商品の１つとの間の関連性に対応し、前記商品および関連商品に対応する包括的相関度を決定することは、
前記商品および前記関連商品に対応する商品情報関連度を決定することと、
前記商品および前記関連商品に対応する属性情報関連度を決定することと、を含む、機能と、
前記対応する複数の包括的相関度に関連する条件に少なくとも部分的に基づいて前記複数の関連商品のサブセットを選択するための機能と、
前記複数の関連商品の前記サブセットを提示するための機能と、
をコンピュータによって実現させる、コンピュータプログラム。
【手続補正２】
【補正対象書類名】明細書
【補正対象項目名】０１８２
【補正方法】変更
【補正の内容】
【０１８２】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：システムであって、プロセッサであって、商品に関連するユーザ動作のインディケーションを受信し、前記ユーザ動作に関連する前記商品の複数の関連商品を決定し、前記複数の関連商品に対応する複数の包括的相関度を決定し、前記複数の包括的相関度の各々は、前記商品と前記複数の関連商品の１つとの間の関連性に対応し、前記商品および関連商品に対応する包括的相関度の決定は、前記商品および前記関連商品に対応する商品情報関連度を決定し、前記商品および前記関連商品に対応する属性情報関連度を決定することを含み、前記対応する複数の包括的相関度に関連する条件に少なくとも部分的に基づいて前記複数の関連商品のサブセットを選択し、前記複数の関連商品の前記サブセットを提示するように構成されているプロセッサと、前記プロセッサに接続され、前記プロセッサに命令を提供するよう構成されているメモリと、を備える、システム。
適用例２：適用例１に記載のシステムであって、前記ユーザ動作は、前記商品に関連するウェブページを閲覧すること、ウェブサイトで前記商品を購入すること、または、前記ウェブサイトで前記商品に関するフィードバックを送信すること、の内の１つに関連する、システム。
適用例３：適用例１に記載のシステムであって、前記プロセッサは、さらに、所定の期間にわたって購入された商品に関する情報を取得し、前記情報を複数の商品トランザクションに分けるように構成され、各商品トランザクションは、少なくとも２つの商品に関連付けられている、システム。
適用例４：適用例３に記載のシステムであって、前記複数の商品トランザクションの少なくとも１つには、前記複数の関連商品の各々および前記ユーザ動作に関連する前記商品の両方が含まれる、システム。
適用例５：適用例４に記載のシステムであって、前記プロセッサは、さらに、前記複数の商品トランザクションを複数の属性トランザクションに変換するよう構成されている、システム。
適用例６：適用例４に記載のシステムであって、前記商品および前記関連商品に対応する前記商品情報関連度は、１）前記商品と前記関連商品との間のサポート値、および、２）前記商品と前記関連商品との間の信頼度値、に少なくとも部分的に基づいて決定される、システム。
適用例７：適用例６に記載のシステムであって、前記商品と前記関連商品との間の前記サポート値は、前記商品と前記関連商品との間の絶対サポート値を含む、システム。
適用例８：適用例６に記載のシステムであって、前記商品と前記関連商品との間の前記サポート値は、前記商品と前記関連商品との間の相対サポート値を含む、システム。
適用例９：適用例５に記載のシステムであって、前記商品および前記関連商品に対応する前記属性情報関連度は、前記商品の属性および前記関連商品の対応する属性、１）前記商品の前記属性と前記関連商品の前記対応する属性との間のサポート値、ならびに、２）前記商品の前記属性と前記関連商品の前記対応する属性との間の信頼度値、に少なくとも部分的に基づいて決定される、システム。
適用例１０：適用例１に記載のシステムであって、商品と関連商品との間の前記包括的相関度は、前記商品情報関連度および前記属性情報関連度を乗算すること、前記商品情報関連度および前記属性情報関連度を加算すること、前記商品情報関連度および前記属性情報関連度の各々に重み係数を与えて、重み付けされた値を加算すること、若しくは、前記商品情報関連度および前記属性情報関連度の各々に重み係数を与えて、重み付けされた値を平均すること、の内の１つを用いて決定される、システム。
適用例１１：適用例１に記載のシステムであって、前記対応する複数の包括的相関度に関連する条件に少なくとも部分的に基づく前記複数の関連商品のサブセットの選択において、前記プロセッサは、前記複数の包括的相関度を順位付け、所定の数の前記順位付けされた複数の包括的相関度に対応する前記複数の関連商品の前記サブセットを選択するように構成されている、システム。
適用例１２：適用例１に記載のシステムであって、前記対応する複数の包括的相関度に関連する条件に少なくとも部分的に基づく前記複数の関連商品のサブセットの選択において、前記プロセッサは、所定の閾値以上の包括的相関度に対応する前記複数の関連商品の前記サブセットを選択するように構成されている、システム。
適用例１３：適用例１に記載のシステムであって、前記複数の関連商品の前記サブセットの提示は、テキスト、画像、若しくは、テキストおよび画像、の内の１つを用いて前記複数の関連商品の前記サブセットを表示することを含む、システム。
適用例１４：方法であって、商品に関連するユーザ動作のインディケーションを受信し、前記ユーザ動作に関連する前記商品の複数の関連商品を決定し、前記複数の関連商品に対応する複数の包括的相関度を決定し、前記複数の包括的相関度の各々は、前記商品と前記複数の関連商品の１つとの間の関連性に対応し、前記商品および関連商品に対応する包括的相関度の決定は、  前記商品および前記関連商品に対応する商品情報関連度を決定し、前記商品および前記関連商品に対応する属性情報関連度を決定することを含み、前記対応する複数の包括的相関度に関連する条件に少なくとも部分的に基づいて前記複数の関連商品のサブセットを選択し、前記複数の関連商品の前記サブセットを提示すること、
を備える、方法。
適用例１５：適用例１４に記載の方法であって、前記ユーザ動作は、前記商品に関連するウェブページを閲覧すること、ウェブサイトで前記商品を購入すること、または、前記ウェブサイトで前記商品に関するフィードバックを送信すること、の内の１つに関連する、方法。
適用例１６：適用例１４に記載の方法であって、さらに、所定の期間にわたって購入された商品に関する情報を取得し、前記情報を複数の商品トランザクションに分けること、
を備え、各商品トランザクションは、少なくとも２つの商品に関連付けられている、方法。
適用例１７：適用例１６に記載の方法であって、前記複数の商品トランザクションの少なくとも１つには、前記複数の関連商品の各々および前記ユーザ動作に関連する前記商品の両方が含まれる、方法。
適用例１８：適用例１７に記載の方法であって、さらに、前記複数の商品トランザクションを複数の属性トランザクションに変換することを備える、方法。
適用例１９：適用例１７に記載の方法であって、前記商品および前記関連商品に対応する前記商品情報関連度は、１）前記商品と前記関連商品との間のサポート値、および、２）前記商品と前記関連商品との間の信頼度値、に少なくとも部分的に基づいて決定される、方法。
適用例２０：適用例１９に記載の方法であって、前記商品と前記関連商品との間の前記サポート値は、前記商品と前記関連商品との間の絶対サポート値を含む、方法。
適用例２１：適用例１９に記載の方法であって、前記商品と前記関連商品との間の前記サポート値は、前記商品と前記関連商品との間の相対サポート値を含む、方法。
適用例２２：適用例１８に記載の方法であって、前記商品および前記関連商品に対応する前記属性情報関連度は、前記商品の属性および前記関連商品の対応する属性、１）前記商品の前記属性と前記関連商品の前記対応する属性との間のサポート値、ならびに、２）前記商品の前記属性と前記関連商品の前記対応する属性との間の信頼度値、に少なくとも部分的に基づいて決定される、方法。
適用例２３：適用例１４に記載の方法であって、商品と関連商品との間の前記包括的相関度は、前記商品情報関連度および前記属性情報関連度を乗算すること、前記商品情報関連度および前記属性情報関連度を加算すること、前記商品情報関連度および前記属性情報関連度の各々に重み係数を与えて、重み付けされた値を加算すること、若しくは、前記商品情報関連度および前記属性情報関連度の各々に重み係数を与えて、重み付けされた値を平均すること、の内の１つを用いて決定される、方法。
適用例２４：適用例１４に記載の方法であって、前記対応する複数の包括的相関度に関連する条件に少なくとも部分的に基づく前記複数の関連商品のサブセットの選択は、前記複数の包括的相関度を順位付け、所定の数の前記順位付けされた複数の包括的相関度に対応する前記複数の関連商品の前記サブセットを選択すること、を含む、方法。
適用例２５：適用例１４に記載の方法であって、前記対応する複数の包括的相関度に関連する条件に少なくとも部分的に基づく前記複数の関連商品のサブセットの選択において、前記プロセッサは、所定の閾値以上の包括的相関度に対応する前記複数の関連商品の前記サブセットを選択するように構成されている、方法。
適用例２６：コンピュータプログラム製品であって、前記コンピュータプログラム製品は、コンピュータ読み取り可能な記憶媒体内に具現化され、商品に関連するユーザ動作のインディケーションを受信するためのコンピュータ命令と、前記ユーザ動作に関連する前記商品の複数の関連商品を決定するためのコンピュータ命令と、前記複数の関連商品に対応する複数の包括的相関度を決定するためのコンピュータ命令であって、前記複数の包括的相関度の各々は、前記商品と前記複数の関連商品の１つとの間の関連性に対応し、前記商品および関連商品に対応する包括的相関度を決定することは、前記商品および前記関連商品に対応する商品情報関連度を決定することと、前記商品および前記関連商品に対応する属性情報関連度を決定することと、を含む、コンピュータ命令と、前記対応する複数の包括的相関度に関連する条件に少なくとも部分的に基づいて前記複数の関連商品のサブセットを選択するためのコンピュータ命令と、前記複数の関連商品の前記サブセットを提示するためのコンピュータ命令と、を備える、コンピュータプログラム製品。